(57)【要約】【課題】  維持放電パルスの歪みを防止し，走査電極と維持電極を駆動し得る統合ボードを有するプラズマ表示装置を提供する。【解決手段】  第１電極Ｙ及び第２電極Ｘと，第１，第２電極と交差する方向に形成される第３電極Ａとを含み，第１，２，３電極とが交差する領域にセルが形成されるプラズマ表示パネル１０に，映像の各フレームを複数のサブフィールドに時分割して表示するプラズマ表示装置１００を；少なくとも一つのサブフィールドにおいて；第１電極を第１電圧から第２電圧まで漸進的に降下させる段階と；非発光セルとして設定するセルの第１電極に走査パルスを印加するとともに第３電極にアドレスパルスを印加する段階と；第２電極を第３電圧にバイアスさせて，第１電極に第３電圧より低い第４電圧と第３電圧より高い第５電圧を交互に出力する維持放電パルスを印加する段階とを含んで駆動するようにした。【選択図】    図６
2006209078.tif 000002
【特許請求の範囲】
【請求項１】
複数の第１電極及び複数の第２電極と，前記第１電極及び前記第２電極と交差する方向に形成される複数の第３電極とを含み，前記第１電極及び前記第２電極と前記第３電極とが交差する領域にそれぞれセルが形成されるプラズマ表示パネルに，映像の各フレームをそれぞれ複数のサブフィールドに時分割して表示するプラズマ表示装置の駆動方法において，
少なくとも一つのサブフィールドにおいて，
前記第１電極の電圧を第１電圧から第２電圧まで漸進的に降下させる段階と；
前記複数のセルのうち非発光セルとして設定するセルに対して，前記第１電極に走査パルスを印加するとともに前記第３電極にアドレスパルスを印加する段階と；
前記第２電極を第３電圧にバイアスさせた状態で，前記第１電極に，交互に出力される前記第３電圧より低い第４電圧と前記第３電圧より高い第５電圧とからなる維持放電パルスを印加する段階と；
を含むことを特徴とするプラズマ表示装置の駆動方法。
【請求項２】
前記第２電圧は前記第４電圧より高い電圧であることを特徴とする請求項１に記載のプラズマ表示装置の駆動方法。
【請求項３】
前記第３電圧と前記第４電圧の差と，前記第５電圧と前記第３電圧の差は同一であることを特徴とする請求項２に記載のプラズマ表示装置の駆動方法。
【請求項４】
前記第１電極に前記第４電圧と前記第５電圧を交互に出力する前記維持放電パルスが印加されるとき，前記第４電圧を有するパルスが先に印加されることを特徴とする請求項２に記載のプラズマ表示装置の駆動方法。
【請求項５】
前記第１電極の電圧を降下させる段階，及び前記第１電極に走査パルスを印加するとともに前記第３電極にアドレスパルスを印加する段階において，前記第２電極は前記第３電圧にバイアスされることを特徴とする請求項４に記載のプラズマ表示装置の駆動方法。
【請求項６】
前記第３電圧は接地電圧であることを特徴とする請求項１又は５のいずれか一項に記載のプラズマ表示装置の駆動方法。
【請求項７】
前記第１電極の電圧を漸進的に降下させる段階に先立ち，前記第１電極の電圧を第６電圧から第７電圧まで漸進的に上昇させる段階をさらに含むことを特徴とする請求項１に記載のプラズマ表示装置の駆動方法。
【請求項８】
前記走査パルスの電圧は前記第２電圧より低いかまたはそれと同一の電圧であり，前記アドレスパルスの電圧は前記第３電圧より高い電圧であることを特徴とする請求項１に記載のプラズマ表示装置の駆動方法。
【請求項９】
前記第１電極の電圧が前記第４電圧から前記第５電圧に上昇する期間と前記第１電極の電圧が前記第５電圧から前記第４電圧に降下する期間の少なくともいずれかの期間に，前記第１電極の電圧を前記第４電圧よりも高く前記第５電圧よりも低い第８電圧に維持する期間を含むことを特徴とする請求項１に記載のプラズマ表示装置の駆動方法。
【請求項１０】
前記少なくとも一つのサブフィールドに時間的に後続するサブフィールドにおいて，
直前のサブフィールドにて前記維持放電パルスにより放電が発生したセルのうち，当該サブフィールドで非発光セルとして設定するセルに対して，前記第１電極に走査パルスを印加するとともに前記第３電極にアドレスパルスを印加する段階と；
前記第２電極を前記第３電圧にバイアスさせた状態で，前記第１電極に前記維持放電パルスを印加する段階と；
をさらに含むことを特徴とする請求項１〜９のいずれか一項に記載のプラズマ表示装置の駆動方法。
【請求項１１】
前記直前のサブフィールドにおいて前記維持放電パルスにより発生した最後の放電は，前記第１電極に前記第５電圧が印加されて発生したことを特徴とする請求項１０に記載のプラズマ表示装置の駆動方法。
【請求項１２】
複数の第１電極及び複数の第２電極と，前記第１電極及び前記第２電極と交差する方向に形成される複数の第３電極とを含み，前記第１電極及び前記第２電極と前記第３電極とが交差する領域にそれぞれセルが形成されるプラズマ表示パネルと；
映像の各フレームをそれぞれ複数のサブフィールドに時分割して表示するように前記プラズマ表示パネルの駆動を制御する制御部と；
前記制御部の制御により，少なくとも一つの前記サブフィールドにおいて，
アドレス期間にて，発光セルとして設定された前記複数のセルを選択的に放電させることにより非発光セルを選択し，維持期間にて，前記第２電極を第３電圧にバイアスさせた状態で前記第１電極に維持放電パルスを印加することにより前記発光セルとして設定されたセルを維持放電させる駆動部と；
を含むことを特徴とするプラズマ表示装置。
【請求項１３】
前記駆動部は，前記アドレス期間に先立つリセット期間にて前記複数のセルを発光セルとして初期化することを特徴とする請求項１２に記載のプラズマ表示装置。
【請求項１４】
前記維持放電パルスは，前記第３電圧より低い第４電圧と前記第３電圧より高い第５電圧を交互に出力し，
前記複数のセルの発光セルとしての初期化は，前記第１電極の電圧を，第１電圧から前記第４電圧より高い第２電圧まで漸進的に降下させることにより行われることを特徴とする請求項１３に記載のプラズマ表示装置。
【請求項１５】
前記第３電圧と前記第４電圧の差と，前記第５電圧と前記第３電圧の差は同一であることを特徴とする請求項１４に記載のプラズマ表示装置。
【請求項１６】
前記駆動部は，前記アドレス期間にて非発光セルとして設定するセルに対して，前記第１電極に走査パルスを印加するとともに前記第３電極にアドレスパルスを印加することを特徴とする請求項１４に記載のプラズマ表示装置。
【請求項１７】
前記走査パルスの電圧は前記第２電圧より低いかまたは同一の電圧であり，前記アドレスパルスの電圧は前記第３電圧より高い電圧であることを特徴とする請求項１６に記載のプラズマ表示装置。
【請求項１８】
前記リセット期間及び前記アドレス期間において，前記第２電極は前記第３電圧にバイアスされることを特徴とする請求項１３〜１７のいずれか一項に記載のプラズマ表示装置。
【請求項１９】
前記第３電圧は接地電圧であることを特徴とする請求項１８に記載のプラズマ表示装置。
【請求項２０】
複数の第１電極及び複数の第２電極と，前記第１電極及び前記第２電極と交差する方向に形成される複数の第３電極とを含み，前記第１電極及び前記第２電極と前記第３電極とが交差する領域にそれぞれセルが形成されるプラズマ表示パネルに，映像の各フレームをそれぞれ複数のサブフィールドに時分割して表示するプラズマ表示装置の駆動方法において，
時間的に先頭に位置する第１サブフィールドにおいて，
前記複数のセルを発光セルとして初期化する初期化段階と；
前記発光セルとして初期化されたセルを選択的に放電させて非発光セルを選択する非発光選択段階と；
前記第２電極を第３電圧にバイアスさせた状態で，前記第１電極に維持放電パルスを印加して前記発光セルとして設定されたセルを維持放電させる段階と；を含み，
前記第１サブフィールドに時間的に後続する第２サブフィールドにおいて，
直前のサブフィールドで維持放電が発生したセルを選択的に放電させて非発光セルを選択する非発光選択段階と；
前記第２電極を前記第３電圧にバイアスさせた状態で，前記第１電極に維持放電パルスを印加して前記発光セルとして設定されたセルを維持放電させる段階と；
を含むことを特徴とするプラズマ表示装置の駆動方法。
【請求項２１】
前記初期化段階及び前記それぞれの非発光選択段階において，前記第２電極の電圧は前記第３電圧にバイアスされることを特徴とする請求項２０に記載のプラズマ表示装置の駆動方法。
【請求項２２】
複数の第１電極及び複数の第２電極と，前記第１電極及び前記第２電極と交差する方向に形成される複数の第３電極とを含み，前記第１電極及び前記第２電極と前記第３電極とが交差する領域にそれぞれセルが形成されるプラズマ表示パネルに，映像の各フレームをそれぞれ複数のサブフィールドに時分割して表示するプラズマ表示装置の駆動方法において，
少なくとも一つのサブフィールドにおいて，
前記第１電極の電圧を第１電圧から第２電圧まで漸進的に降下させる段階と；
前記複数のセルが非発光セルまたは発光セルに区分されるように前記セルに選択的にアドレス放電を発生させる段階と；
前記第２電極を第３電圧にバイアスさせた状態で，前記第１電極に，交互に出力される前記第２電圧及び前記第３電圧より低い第４電圧と前記第３電圧より高い第５電圧とからなる維持放電パルスを印加する段階と；
を含むことを特徴とする，プラズマ表示装置の駆動方法。
【請求項２３】
前記アドレス放電が発生したセルは非発光セルとして設定されることを特徴とする請求項２２に記載のプラズマ表示装置の駆動方法。
【請求項２４】
前記第１電極の電圧を漸進的に降下させる段階と前記アドレス放電を発生させる段階において，前記第２電極の電圧は前記第３電圧にバイアスされることを特徴とする請求項２２又は２３のいずれか一項に記載のプラズマ表示装置の駆動方法。
【請求項２５】
複数の第１電極及び複数の第２電極と，前記第１電極及び前記第２電極と交差する方向に形成される複数の第３電極とを含み，前記第１電極及び前記第２電極と前記第３電極とが交差する領域にそれぞれセルが形成されるプラズマ表示パネルと；
前記プラズマ表示パネルに映像を表示するための駆動波形を前記第１電極及び前記第３電極に印加するとともに，前記第２電極を第３電圧にバイアスする駆動ボードと，前記映像の各フレームがそれぞれ複数のサブフィールドに時分割されて表示されるように前記駆動ボードを制御する制御ボードとが配設されて，前記プラズマ表示パネルと対向配置されるシャーシベースと；を含み，
前記駆動ボードは，発光セルとして設定されている前記複数のセルを選択的にアドレス放電させることにより非発光セルを選択するアドレス期間と，発光セルとして設定されている前記セルを維持放電させる維持期間とを含む駆動波形を前記第１電極及び前記第３電極に印加すること，
を特徴とするプラズマ表示装置。
【請求項２６】
前記駆動ボードが前記第１電極及び前記第３電極に印加する駆動波形は，１フレーム中の第１サブフィールドにおいて，前記複数のセルを発光セルとして初期化するリセット期間をさらに含むことを特徴とする請求項２５に記載のプラズマ表示装置。
【請求項２７】
前記第１サブフィールドは，前記１フレームにおいて時間的に先頭に位置するサブフィールドであることを特徴とする請求項２５に記載のプラズマ表示装置。
【請求項２８】
前記駆動ボードは，前記第１サブフィールドに時間的に後続する第２サブフィールドのアドレス期間において，直前のサブフィールドで維持放電が発生したセルに対して選択的にアドレス放電を発生させることにより当該セルを非発光セルとして選択することを特徴とする請求項２６又は２７のいずれか一項に記載のプラズマ表示装置。
【請求項２９】
前記駆動ボードは，
前記リセット期間において，前記第１電極の電圧を第１電圧から第２電圧まで漸進的に降下させ，
前記維持期間において，前記第１電極に前記第３電圧より低い第４電圧と前記第３電圧より高い第５電圧とを交互に出力する維持放電パルスを印加することを特徴とする請求項２６又は２７のいずれか一項に記載のプラズマ表示装置。
【請求項３０】
前記駆動ボードは，前記維持期間において，
前記第１電極に前記第４電圧を先に印加し，
前記第１電極に前記第５電圧を印加して前記維持期間における最後の放電を発生させることを特徴とする請求項２９に記載のプラズマ表示装置。
【請求項３１】
複数の第１電極及び複数の第２電極と，前記第１電極及び前記第２電極と交差する方向に形成される複数の第３電極とを含むプラズマ表示パネルと；
前記プラズマ表示パネルに映像を表示するための駆動波形を前記第１電極に印加する第１駆動ボードと，前記プラズマ表示パネルに映像を表示するための駆動波形を前記第３電極に印加する第２駆動ボードと，前記映像の各フレームがそれぞれ複数のサブフィールドに時分割されて表示されるように前記第１駆動ボード及び前記第２駆動ボードを制御する制御ボードとが配設され，前記第２電極を所定の電圧にバイアスするシャーシベースと；を含み，
前記シャーシベースには，前記制御ボードの制御により前記第２電極を駆動させるボードが形成されないこと，
を特徴とするプラズマ表示装置。
【請求項３２】
前記第１電極及び前記第２電極と前記第３電極とが交差する領域にそれぞれセルが形成され，
前記第１駆動ボード及び前記第２駆動ボードは，前記複数のセルを選択的に放電させて前記複数のセルから非発光セルとして設定されるセルを選択した後，前記複数のセルのうち発光セルとして設定されたセルを維持放電させて前記映像を表示することを特徴とする請求項３１に記載のプラズマ表示装置。
【発明の詳細な説明】
【技術分野】
【０００１】
本発明は，プラズマ表示装置及びその駆動方法に関する。
【背景技術】
【０００２】
プラズマ表示装置は気体放電により生成されたプラズマを用いて文字または映像を表示する表示装置である。かかるプラズマ表示装置に設けられる表示パネルには，大きさにもよるが，一般的に数百万個以上の画素（放電セル）が行列状（マトリックス状）に配列される。
【０００３】
一般に，プラズマ表示パネルは，映像の各フレームがそれぞれ複数のサブフィールドに時分割されて駆動される。各サブフィールドは，リセット期間，アドレス期間，及び維持期間からなる。リセット期間は，放電セル（以下，“セル”という）でアドレッシング動作が円滑に行われるようにするため，各セルの状態を初期化させる期間である。また，アドレス期間は，表示パネル上の複数のセルに対してそれぞれ発光セルと非発光セルを選択する期間である。維持期間は，上記選択された発光セルに実際に映像を表示するための放電を行う期間である。
【０００４】
このような動作を行うため，維持期間では，走査電極と維持電極に交互に維持放電パルスを印加することが行われる。そして，リセット期間とアドレス期間では，走査電極にはリセット波形と走査波形がそれぞれ印加される。したがって，走査電極と維持電極に印加されるパルスがリセット期間及びアドレス期間において相互に異なるため，走査電極を駆動するための走査駆動ボードと維持電極を駆動するための維持駆動ボードは別々に設けられなければならない。このように，別々の駆動ボードを設ける場合，シャーシベースに駆動ボードを実装する際に例えば設置スペースなどの問題が生じたり，あるいは，二つの駆動ボードを設けることによりプラズマ表示装置の単価が増加するといった問題も生じる。また，別々の駆動ボードを設ける場合，リセット期間及びアドレス期間において印加される駆動波形が主に走査駆動ボードから供給されるので，走査駆動ボードと維持駆動ボードに形成されるインピーダンスが相違することになる。このように走査駆動ボードと維持駆動ボードに形成されるインピーダンスが相違すると，維持期間において走査電極に印加される維持放電パルスと維持電極に印加される維持放電パルスが異なるといった問題が生じる。
【０００５】
上記のような問題に対する対応として，二つの駆動ボードを一つに統合して走査電極の一端に形成し，維持電極の一端を長く延長して統合ボードに連結する方法が提案された。
【発明の開示】
【発明が解決しようとする課題】
【０００６】
しかし，上記のような統合ボードを設ける方法は，長く延長された維持電極に形成されるインピーダンス成分によって，維持期間において維持電極に印加される維持放電パルスに歪みが生じるといった問題があった。
【０００７】
そこで，本発明は，このような問題に鑑みてなされたもので，その目的とするところは，維持放電パルスの歪みを防止することができるプラズマ表示装置及びその駆動方法を提供することにある。またこのとき，走査電極及び維持電極を駆動することのできる統合ボードを有するプラズマ表示装置及びその駆動方法を提供することを目的とする。
【課題を解決するための手段】
【０００８】
上記課題を解決するために，本発明のある観点によれば，複数の第１電極（Ｙ電極または走査電極）及び複数の第２電極（Ｘ電極または維持電極）と，上記第１電極及び上記第２電極と交差する方向に形成される複数の第３電極（Ａ電極またはアドレス電極）とを含み，上記第１電極及び上記第２電極と上記第３電極とが交差する領域にそれぞれセルが形成されるプラズマ表示パネルに，映像の各フレームをそれぞれ複数のサブフィールドに時分割して表示するプラズマ表示装置の駆動方法において；少なくとも一つのサブフィールドにおいて，上記第１電極の電圧を第１電圧から第２電圧まで漸進的に降下させる段階と；上記複数のセルのうち非発光セルとして設定するセルに対して，上記第１電極に走査パルスを印加するとともに上記第３電極にアドレスパルスを印加する段階と；上記第２電極を第３電圧にバイアスさせた状態で，上記第１電極に，交互に出力される上記第３電圧より低い第４電圧と上記第３電圧より高い第５電圧とからなる維持放電パルスを印加する段階と；を含むことを特徴とするプラズマ表示装置の駆動方法が提供される。
【０００９】
このような本発明にかかるプラズマ表示装置の駆動方法によれば，維持放電のための維持放電パルスを印加するとき，上記第２電極は第３電圧にバイアスさせた状態で，上記第１電極に第４電圧と第５電圧を交互に印加するので，維持放電パルスを第１電極を駆動させる駆動ボードのみから供給されるようにすることができる。このように実質的に単一の駆動ボードから維持放電パルスを印加するようにしたことにより，維持放電パルスの歪みを防止することができる。また，第２電極は所定の電圧にバイアスさせればよいので，第２電極を駆動する駆動ボードを設ける必要がなくなり，プラズマ表示装置の単価を低減させることができる。
【００１０】
ここで，上記第１電極の電圧を第１電圧から第２電圧まで漸進的に降下させる段階では，各セルに所定の壁電荷を形成することができる。そして，上記複数のセルのうち非発光セルとして設定するセルに対して，上記第１電極に走査パルスを印加するとともに上記第３電極にアドレスパルスを印加する段階では，上記所定の壁電荷が形成されたセルを選択的にアドレス放電させることにより上記壁電荷を消去して当該セルを非発光セルとして設定することができる。更に，上記第１電極に，交互に出力される上記第３電圧より低い第４電圧と上記第３電圧より高い第５電圧とからなる維持放電パルスを印加する段階では，上記壁電荷が消去されていないセル，すなわちアドレス放電させなかったセルに維持放電を発生させることができる。このように，先ず全てのセルを発光セルとして初期化しておいた後に，非発光セルに対してアドレス放電を発生させることにより，各セルを発光セルまたは非発光セルのいずれかに設定するようにした。これは，従来の，全セルを非発光セルとして初期化後に発光セルをアドレス放電させることにより各セルを発光セルまたは非発光セルのいずれかに設定する方法と比較すると，非発光セルの誤放電を防止することができる。
【００１１】
このとき，上記第２電圧は上記第４電圧より高い電圧であるのがよい。このように第２電圧を設定することによって，各セルが初期化された段階でセルに形成されている壁電荷と，維持放電パルスにより印加される第４電圧とによって維持放電を発生させることができるようになる。
【００１２】
そして，上記第３電圧と上記第４電圧の差と，上記第５電圧と上記第３電圧の差は同一であるのがよい。このようにすることにより，維持放電パルスとして第４電圧及び第５電圧とを印加したときのインピーダンスを同一にすることができるので，維持放電パルスの歪みを防止することができる。
【００１３】
また，上記第１電極に上記第４電圧と上記第５電圧を交互に出力する上記維持放電パルスが印加されるとき，上記第４電圧を有するパルスが先に印加されるようにするのがよい。
また，上記第１電極の電圧を降下させる段階，及び上記第１電極に走査パルスを印加する
とともに上記第３電極にアドレスパルスを印加する段階において，上記第２電極は上記第３電圧にバイアスされるようにすることができる。また，上記第３電圧を接地電圧に設定することもできる。
【００１４】
ここで，上記プラズマ表示装置の駆動方法は，上記第１電極の電圧を漸進的に降下させる段階に先立ち，上記第１電極の電圧を第６電圧から第７電圧まで漸進的に上昇させる段階をさらに含むことができる。このように，各セルに漸進的に上昇する高い電圧を一旦印加しておいて壁電荷を形成した後に，上記漸進的に下降する電圧を印加すると，各セルの壁電荷を均一にすることができる。
【００１５】
ここで，上記走査パルスの電圧は上記第２電圧より低いかまたはそれと同一の電圧であり，上記アドレスパルスの電圧は上記第３電圧より高い電圧であるのがよい。かかる走査パルスとアドレスパルスを印加することにより，セルに形成された壁電荷を消去してセルを非発光セルとして設定することができる。
【００１６】
また，上記第１電極の電圧が上記第４電圧から上記第５電圧に上昇する期間と上記第１電極の電圧が上記第５電圧から上記第４電圧に降下する期間の少なくともいずれかの期間に，上記第１電極の電圧を上記第４電圧よりも高く上記第５電圧よりも低い第８電圧に維持する期間を含むようにすることができる。このようにして第１電極の電圧の上昇または下降を２段階に分けて行うことにより，第１電極の瞬間的な電圧変化を最小化することができ，その結果，瞬間的な電圧変化によって発生し得る電磁気干渉や無効電力を防止することができる。
【００１７】
また，上記プラズマ表示装置の駆動方法は，上記少なくとも一つのサブフィールドに時間的に後続するサブフィールドにおいて；直前のサブフィールドにて上記維持放電パルスにより放電が発生したセルのうち，当該サブフィールドで非発光セルとして設定するセルに対して，上記第１電極に走査パルスを印加するとともに上記第３電極にアドレスパルスを印加する段階と；上記第２電極を上記第３電圧にバイアスさせた状態で，上記第１電極に上記維持放電パルスを印加する段階と；をさらに含むことができる。すなわち，あるサブフィールドに先立つサブフィールドが発光セルであれば，当該先立つサブフィールドの維持放電期間終了後の壁電荷の状態が，サブフィールドの初期化が終了された時点における壁電荷の状態と実質的に同等であるため，上記あるサブフィールドにおいてはセルを初期化せずに当該セルにアドレス放電を発生させるだけで当該セルを非発行セルとして設定することができる。このとき，上記直前のサブフィールドにおいて上記維持放電パルスにより発生した最後の放電は，上記第１電極に上記第５電圧が印加されて発生するようにすれば，上記最後の放電が発生した後の壁電荷の状態を，サブフィールドの初期化が終了した時点における壁電荷の状態と実質的に同等にすることができる。
【００１８】
上記課題を解決するために，本発明の別の観点によれば，複数の第１電極（Ｙ電極または走査電極）及び複数の第２電極（Ｘ電極または維持電極）と，上記第１電極及び上記第２電極と交差する方向に形成される複数の第３電極（Ａ電極またはアドレス電極）とを含み，上記第１電極及び上記第２電極と上記第３電極とが交差する領域にそれぞれセルが形成されるプラズマ表示パネルと；映像の各フレームをそれぞれ複数のサブフィールドに時分割して表示するように上記プラズマ表示パネルの駆動を制御する制御部と；上記制御部の制御により，少なくとも一つの上記サブフィールドにおいて；アドレス期間にて，発光セルとして設定された上記複数のセルを選択的に放電させることにより非発光セルを選択し，維持期間にて，上記第２電極を第３電圧にバイアスさせた状態で上記第１電極に維持放電パルスを印加することにより上記発光セルとして設定されたセルを維持放電させる駆動部と；を含むことを特徴とするプラズマ表示装置が提供される。
【００１９】
このような本発明にかかるプラズマ表示装置によれば，維持期間にて上記第２電極を第３電圧にバイアスさせた状態で上記第１電極に維持放電パルスを印加するので，維持放電パルスを第１電極を駆動させる駆動ボードのみから供給されるようにすることができる。このように実質的に単一の駆動ボードから維持放電パルスを印加するようにしたことにより，維持放電パルスの歪みを防止することができる。また，第２電極は所定の電圧にバイアスさせればよいので，第２電極を駆動する駆動ボードを設ける必要がなくなり，プラズマ表示装置の単価を低減させることができる。
【００２０】
このとき，上記駆動部は，上記アドレス期間に先立つリセット期間にて上記複数のセルを発光セルとして初期化するように構成されるのがよい。これにより，全てのセルがリセット期間にて発光セルとして設定され，続くアドレス期間にてセルを選択的にアドレス放電させることにより非発光セルを選択すれば，上記アドレス期間にて非発光セルとして選択されなかったセルが発光セルとして維持されるので，かかる発光セルに維持放電期間にて維持放電パルスを印加すると維持放電を発生させることができる。
【００２１】
ここで，上記維持放電パルスは，上記第３電圧より低い第４電圧と上記第３電圧より高い第５電圧を交互に出力し，上記複数のセルの発光セルとしての初期化は，上記第１電極の電圧を，第１電圧から上記第４電圧より高い第２電圧まで漸進的に降下させることにより行われるようにするのがよい。また，上記第３電圧と上記第４電圧の差と，上記第５電圧と上記第３電圧の差が同一となるようにすれば，維持放電パルスとして第４電圧及び第５電圧を印加したときのインピーダンスを同一にすることができるので，維持放電パルスの歪みを防止することができる。
【００２２】
また，上記駆動部は，上記アドレス期間にて非発光セルとして設定するセルに対して，上記第１電極に走査パルスを印加するとともに上記第３電極にアドレスパルスを印加するのがよい。そして，上記走査パルスの電圧は上記第２電圧より低いかまたは同一の電圧であり，上記アドレスパルスの電圧は上記第３電圧より高い電圧であるのがよい。かかる走査パルスとアドレスパルスを印加することにより，セルに形成された壁電荷を消去してセルを非発光セルとして設定することができる。
【００２３】
ここで，上記リセット期間及び上記アドレス期間において，上記第２電極は上記第３電圧にバイアスされるようにするのがよい。更に，上記第３電圧を接地電圧に設定することもできる。
【００２４】
上記課題を解決するために，本発明の別の観点によれば，複数の第１電極（Ｙ電極または走査電極）及び複数の第２電極（Ｘ電極または維持電極）と，上記第１電極及び上記第２電極と交差する方向に形成される複数の第３電極（Ａ電極またはアドレス電極）とを含み，上記第１電極及び上記第２電極と上記第３電極とが交差する領域にそれぞれセルが形成されるプラズマ表示パネルに，映像の各フレームをそれぞれ複数のサブフィールドに時分割して表示するプラズマ表示装置の駆動方法において；時間的に先頭に位置する第１サブフィールドにおいて，上記複数のセルを発光セルとして初期化する初期化段階と；上記発光セルとして初期化されたセルを選択的に放電させて非発光セルを選択する非発光選択段階と；上記第２電極を第３電圧にバイアスさせた状態で，上記第１電極に維持放電パルスを印加して上記発光セルとして設定された（初期化されたままの）セルを維持放電させる段階と；を含み；上記第１サブフィールドに時間的に後続する第２サブフィールドにおいて，直前のサブフィールドで維持放電が発生したセルを選択的に放電させて非発光セルを選択する非発光選択段階と；上記第２電極を上記第３電圧にバイアスさせた状態で，上記第１電極に維持放電パルスを印加して上記発光セルとして設定されたセルを維持放電させる段階と；を含むことを特徴とするプラズマ表示装置の駆動方法が提供される。
【００２５】
このような本発明にかかるプラズマ表示装置の駆動方法によれば，第１サブフィールドにおいて，上記複数のセルを発光セルとして初期化後，上記発光セルを選択的に放電させて非発光セルを選択した後に，維持放電パルスを印加して上記発光セル，すなわち非発光セルとして選択されずに初期化されたままの状態のセルを維持放電させることができる。そして更に，上記第１サブフィールドに続く第２サブフィールドにおいては，直前のサブフィールドで維持放電が発生した直後の状態のセルに対して選択的にアドレス放電を発生させることにより，上記第２サブフィールドにおいて当該セルを非発光セルとして選択することができる。すなわち，直前のサブフィールドで発光セルであったセルは，次のサブフィールドではセルの初期化過程を経ずに，当該セルを非発光セルまたは発光セルとして設定することができる。そして，上記第２サブフィールドにおいても，維持放電パルスを印加して上記発光セル，すなわち上記第１サブフィールドから上記第２サブフィールドまでの各サブフィールドにて毎回発行セルであったセルを維持放電させることができる。上記のように，第１サブフィールド以外のサブフィールドの初期化過程を省くことにより，初期化によって発生する放電を最小化することができるので，例えば０階調（ブラック階調）のセルを表示する場合などには，初期化などの放電によってセルが明るくなって良好な黒色表示ができなくなることを防止することができる。
【００２６】
このとき，上記初期化段階及び上記それぞれの非発光選択段階において，上記第２電極の電圧は上記第３電圧にバイアスされるようにするのがよい。ここで，上記第２電極は，維持放電を行う段階においても第３電圧にバイアスされるので，１サブフィールド期間を通して第３電圧にバイアスされた状態となる。これにより，維持放電パルスを第１電極を駆動させる駆動ボードのみから供給されるようにすることができる。このように実質的に単一の駆動ボードから維持放電パルスを印加するようにしたことにより，維持放電パルスの歪みを防止することができる。また，第２電極は所定の電圧にバイアスさせればよいので，第２電極を駆動する駆動ボードを設ける必要がなくなり，プラズマ表示装置の単価を低減させることができる。
【００２７】
上記課題を解決するために，本発明の別の観点によれば，複数の第１電極（Ｙ電極または走査電極）及び複数の第２電極（Ｘ電極または維持電極）と，上記第１電極及び上記第２電極と交差する方向に形成される複数の第３電極（Ａ電極またはアドレス電極）とを含み，上記第１電極及び上記第２電極と上記第３電極とが交差する領域にそれぞれセルが形成されるプラズマ表示パネルに，映像の各フレームをそれぞれ複数のサブフィールドに時分割して表示するプラズマ表示装置の駆動方法において；少なくとも一つのサブフィールドにおいて，上記第１電極の電圧を第１電圧から第２電圧まで漸進的に降下させる段階と；上記複数のセルが非発光セルまたは発光セルに区分されるように上記セルに選択的にアドレス放電を発生させる段階と；上記第２電極を第３電圧にバイアスさせた状態で，上記第１電極に，交互に出力される上記第２電圧及び上記第３電圧より低い第４電圧と上記第３電圧より高い第５電圧とからなる維持放電パルスを印加する段階と；を含むことを特徴とする，プラズマ表示装置の駆動方法が提供される。
【００２８】
このような本発明にかかるプラズマ表示装置の駆動方法によれば，維持放電のための維持放電パルスを印加するとき，上記第２電極は第３電圧にバイアスさせた状態で，上記第１電極に第４電圧と第５電圧を交互に印加するので，維持放電パルスを第１電極を駆動させる駆動ボードのみから供給されるようにすることができる。このように実質的に単一の駆動ボードから維持放電パルスを印加するようにしたことにより，維持放電パルスの歪みを防止することができる。また，第２電極は所定の電圧にバイアスさせればよいので，第２電極を駆動する駆動ボードを設ける必要がなくなり，プラズマ表示装置の単価を低減させることができる。
【００２９】
ここで，上記第１電極の電圧を第１電圧から第２電圧まで漸進的に降下させる段階では，各セルに所定の壁電荷を形成することができる。そして，上記複数のセルが非発光セルまたは発光セルに区分されるように上記セルに選択的にアドレス放電を発生させる段階では，上記セルに対するアドレス放電の有無によって上記セルを発光セルまたは非発光セルのいずれかに設定することができる。更に，上記第１電極に，交互に出力される上記第３電圧より低い第４電圧と上記第３電圧より高い第５電圧とからなる維持放電パルスを印加する段階では，上記壁電荷が消去されていないセル，すなわちアドレス放電させなかったセルに維持放電を発生させることができる。
【００３０】
ここで，上記アドレス放電が発生したセルは非発光セルとして設定されるようにするのがよい。また，上記第１電極の電圧を漸進的に降下させる段階と上記アドレス放電を発生させる段階において，上記第２電極の電圧は上記第３電圧にバイアスされるのがよい。ここで，上記第２電極は，維持放電を行う段階においても第３電圧にバイアスされるので，１サブフィールド期間を通して第３電圧にバイアスされた状態となる。
【００３１】
上記課題を解決するために，本発明の別の観点によれば，複数の第１電極（Ｙ電極または走査電極）及び複数の第２電極（Ｘ電極または維持電極）と，上記第１電極及び上記第２電極と交差する方向に形成される複数の第３電極（Ａ電極またはアドレス電極）とを含み，上記第１電極及び上記第２電極と上記第３電極とが交差する領域にそれぞれセルが形成されるプラズマ表示パネルと；上記プラズマ表示パネルに映像を表示するための駆動波形を上記第１電極及び上記第３電極に印加するとともに，上記第２電極を第３電圧にバイアスする駆動ボードと，上記映像の各フレームがそれぞれ複数のサブフィールドに時分割されて表示されるように上記駆動ボードを制御する制御ボードとが配設されて，上記プラズマ表示パネルと対向配置されるシャーシベースと；を含み；上記駆動ボードは，発光セルとして設定されている上記複数のセルを選択的にアドレス放電させることにより非発光セルを選択するアドレス期間と，発光セルとして設定されている上記セルを維持放電させる維持期間とを含む駆動波形を上記第１電極及び上記第３電極に印加すること，を特徴とするプラズマ表示装置が提供される。
【００３２】
このような本発明にかかるプラズマ表示装置によれば，維持放電のための維持放電パルスを印加するとき，上記第２電極は駆動ボードにより上記第３電圧にバイアスされるので，維持放電パルスは第１電極を駆動させる駆動ボードのみから供給されるようにすることができる。このように実質的に単一の駆動ボードから維持放電パルスを印加するようにしたことにより，維持放電パルスの歪みを防止することができる。また，第２電極は所定の電圧にバイアスさせればよいので，第２電極を駆動する駆動ボードを設ける必要がなくなり，プラズマ表示装置の単価を低減させることができる。
【００３３】
このとき，上記駆動ボードが上記第１電極及び上記第３電極に印加する駆動波形は，１フレーム中の第１サブフィールドにおいて，上記複数のセルを発光セルとして初期化するリセット期間をさらに含むようにするのがよい。また，上記第１サブフィールドは，上記１フレームにおいて時間的に先頭に位置するサブフィールドであるのがよい。
【００３４】
また，上記駆動ボードは，上記第１サブフィールドに時間的に後続する第２サブフィールドのアドレス期間において，直前のサブフィールドで維持放電が発生したセルに対して選択的にアドレス放電を発生させることにより当該セルを非発光セルとして選択することができる。すなわち，直前のサブフィールドで発光セルであったセルは，次のサブフィールドではセルの初期化過程を経ずに，当該セルを非発光セルまたは発光セルとして設定することができる。このようにすれば，初期化によって発生する放電を最小化させることができるので，例えば０階調（ブラック階調）のセルを表示する場合などには，初期化などの放電によってセルが明るくなって良好な黒色表示ができなくなることを防止することができる。
【００３５】
このとき，上記駆動ボードは，上記リセット期間において，上記第１電極の電圧を第１電圧から第２電圧まで漸進的に降下させ，上記維持期間において，上記第１電極に上記第３電圧より低い第４電圧と上記第３電圧より高い第５電圧とを交互に出力する維持放電パルスを印加するのがよい。また，上記駆動ボードは，上記維持期間において，上記第１電極に上記第４電圧を先に印加し，上記第１電極に上記第５電圧を印加して上記維持期間における最後の放電を発生させるようにするのがよい。
【００３６】
上記課題を解決するために，本発明の別の観点によれば，複数の第１電極（Ｙ電極または走査電極）及び複数の第２電極（Ｘ電極または維持電極）と，上記第１電極及び上記第２電極と交差する方向に形成される複数の第３電極（Ａ電極またはアドレス電極）とを含むプラズマ表示パネルと；上記プラズマ表示パネルに映像を表示するための駆動波形を上記第１電極に印加する第１駆動ボードと，上記プラズマ表示パネルに映像を表示するための駆動波形を上記第３電極に印加する第２駆動ボードと，上記映像の各フレームがそれぞれ複数のサブフィールドに時分割されて表示されるように上記第１駆動ボード及び上記第２駆動ボードを制御する制御ボードとが配設され，上記第２電極を所定の電圧にバイアスするシャーシベースと；を含み；上記シャーシベースには，上記制御ボードの制御により上記第２電極を駆動させるボードが形成されないこと，を特徴とするプラズマ表示装置が提供される。
【００３７】
このような本発明にかかるプラズマ表示装置によれば，上記第１電極は上記第１駆動ボードから駆動波形を印加され，上記第２電極はシャーシベースにより所定の電圧にバイアスされるので，上記第１電極と上記第２電極との間に維持放電を発生させる際に印加される維持放電パルスは実質的に第１駆動ボードから供給されることになるので，維持放電パルスの歪みを防止することができる。また，上記シャーシベースには上記制御ボードの制御により上記第２電極を駆動させるボードが形成されないので，プラズマ表示装置の単価を低減させることができる。
【００３８】
このとき，上記第１電極及び上記第２電極と上記第３電極とが交差する領域にそれぞれセルが形成され，上記第１駆動ボード及び上記第２駆動ボードは，上記複数のセルを選択的に放電させて上記複数のセルから非発光セルとして設定されるセルを選択した後，上記複数のセルのうち発光セルとして設定されたセルを維持放電させて上記映像を表示するように構成するのがよい。
【発明の効果】
【００３９】
本発明によれば，維持放電のための維持放電パルスが第１電極（Ｙ電極）を駆動させるボード（走査駆動ボード）のみから供給されるようにし，その際に交互に印加される異なる電圧値を有するパルスのインピーダンスが同一となるようにしたことにより，維持放電パルスの歪みを防止することができるプラズマ表示装置及びその駆動方法を提供できるものである。またこのとき，第２電極（Ｘ電極）は所定の電圧にバイアスさせればよいので，第２電極を駆動する駆動ボードを設ける必要がなくなり，実質的に一つのボードのみで第１電極及び第２電極を駆動させることが可能となり，プラズマ表示装置の単価を低減させることができる。更に，アドレス期間で壁電荷を消去して非発光セルを選択する形式のアドレス方式を採用したことにより，維持期間で発生し得る誤放電を防止することもできる。
【発明を実施するための最良の形態】
【００４０】
以下に添付図面を参照しながら，本発明の好適な実施の形態について，本発明が属する技術分野で通常の知識を持った者が容易に実施できるように詳細に説明する。また，本発明は以下に説明する実施の形態の他に多様な形態にて具現が可能であり，ここで説明する実施の形態に限定されるものではない。なお，本明細書及び図面において，実質的に同一の機能構成を有する構成要素については，同一の符号を付することにより重複説明を省略する。また，本発明を明確に説明するため，図面においては，本発明の説明と関係ない部分は省略した。
【００４１】
本発明の実施の形態の説明に先立ち，本明細書でいう壁電荷とは，セルの壁（例えば，誘電体層）上で各電極の近傍に形成される電荷をいう。そして，壁電荷は実際に電極自体に接触することはないが，ここでは，電極に“形成される”，“蓄積される”または“積もる”のように表現する。また，壁電圧は，壁電荷によりセルの壁に形成される電位差をいう。
【００４２】
本発明の第１の実施の形態にかかるプラズマ表示装置及びその駆動方法について図面を参照して詳細に説明する。先ず，本発明の第１の実施の形態によるプラズマ表示装置の概略的な構造について図１〜図３を参照して詳細に説明する。ここで，後述する第１の実施の形態以外の他の実施の形態にかかるプラズマ表示装置及びその駆動方法においても，プラズマ表示装置は第１の実施の形態と同様の構成を有することができる。
【００４３】
図１は，第１の実施の形態によるプラズマ表示装置の概略構成を示す分解斜視図である。図２は，第１の実施の形態によるプラズマ表示パネルの電極構成及び放電セルの概念を示す図である。図３は第１の実施の形態によるシャーシベースの概略構成を示す平面図である。
【００４４】
第１の実施の形態によるプラズマ表示装置は，図１に示すように，プラズマ表示パネル１０，シャーシベース２０，前面ケース３０，及び後面ケース４０を含んで構成される。シャーシベース２０は，プラズマ表示パネル１０の映像表示面の反対側に配置され，プラズマ表示パネル１０と結合される。前面ケース３０及び後面ケース４０は，プラズマ表示パネル１０の前面及びシャーシベース２０の後面（背面）にそれぞれ配置され，プラズマ表示パネル１０及びシャーシベース２０と結合されてプラズマ表示装置を形成する。ここで，前面とはプラズマ表示パネル１０の映像表示面となる側を指し，背面とは上記映像表示面の反対側を指す。
【００４５】
図２に示すように，プラズマ表示パネル１０は，列方向に伸びる複数のアドレス電極（以下，“Ａ電極”という）Ａ１〜Ａｍと，行方向に伸びる複数の走査電極（以下，“Ｙ電極”という）Ｙ１〜Ｙｎと，行方向に伸びる複数の維持電極（以下，“Ｘ電極”という）Ｘ１〜Ｘｎとを含む。ここで，アドレス電極（Ａ電極）を第３電極，走査電極（Ｙ電極）を第１電極，維持電極（Ｘ電極）を第２電極と称することもできる。Ｘ電極Ｘ１〜ＸｎはそれぞれＹ電極Ｙ１〜Ｙｎに対応して形成される。また，Ｘ電極Ｘ１〜Ｘｎはその一端が相互に共通に連結されるのが一般的である。そして，プラズマ表示パネル１０は，Ｘ電極Ｘ１〜Ｘｎ及びＹ電極Ｙ１〜Ｙｎが配列された基板と，Ａ電極Ａ１〜Ａｍが配列された基板とを含むことができる。両基板は，Ｙ電極Ｙ１〜ＹｎとＡ電極Ａ１〜Ａｍ，そしてＸ電極Ｘ１〜ＸｎとＡ電極Ａ１〜Ａｍがそれぞれ交差または直交するように放電空間を介在して対向配置される。この際，Ａ電極Ａ１〜ＡｍとＸ電極Ｘ１〜Ｘｎ及びＹ電極Ｙ１〜Ｙｎとが交差する領域の放電空間がセルを形成する。
【００４６】
図３に示すように，シャーシベース２０には，プラズマ表示パネル１０を駆動させるのに必要なアドレスバッファボード１００，走査駆動ボード２００，走査バッファボード３００，制御ボード４００，及び電源ボード５００が形成される。
【００４７】
アドレスバッファボード１００は，シャーシベース２０の上部及び下部にそれぞれ形成される。ここで，シャーシベース２０の上部とは，例えばシャーシベース２０の一側における縁部近傍に沿った領域などであることができる。そして，シャーシベース２０の下部とは，例えばシャーシベース２０の他側における縁部近傍に沿った領域などであることができる。かかるシャーシベース２０は，単一のボードからなることもできるし，または複数のボードからなることもできる。図３は，デュアル駆動を行うプラズマ表示装置を例として説明しているが，シングル駆動の場合，アドレスバッファボード１００はシャーシベース２０の上部及び下部のいずれか一方に配置される。アドレスバッファボード１００は，制御ボード４００から制御信号を受信し，表示を行うセルを選択するための電圧をそれぞれのＡ電極Ａ１〜Ａｍに印加する。
【００４８】
走査駆動ボード２００はシャーシベース２０の左側に配置され，走査バッファボード３００を介してＹ電極Ｙ１〜Ｙｎに電気的に連結される。すなわち，走査バッファボード３００は，例えば上記アドレスバッファボード１００が配設されたシャーシベース２０の一側及び他側とは異なる対向する側部のうちのいずれかの縁部近傍に沿った領域に配設されることができる。そして，走査駆動ボード２００は，例えば走査バッファボード３００よりもシャーシベース２０の中央寄りの領域に走査バッファボード３００と隣接するように配設されることができる。走査バッファボード３００は，アドレス期間においてＹ電極Ｙ１〜Ｙｎを順次選択するための電圧をＹ電極Ｙ１〜Ｙｎにそれぞれ印加する。走査駆動ボード２００は，制御ボード４００から駆動信号を受信し，Ｙ電極Ｙ１〜Ｙｎに駆動電圧を印加する。そして，図３においては，走査駆動ボード２００と走査バッファボード３００がシャーシベース２０の左側に配置されるものとして示されているが，シャーシベース２０の右側に配置されることもできる。また，走査バッファボード３００は走査駆動ボード２００と一体的に形成されることもできる。ここで，Ｘ電極Ｘ１〜Ｘｎ（維持電極）は一定の電圧にバイアスされているが，かかるＸ電極のバイアスはシャーシベース２０または他の駆動ボード１００〜５００を用いて行うことができる。
【００４９】
制御ボード４００は，外部から映像信号を受信し，Ａ電極Ａ１〜Ａｍの駆動に必要な制御信号と，Ｙ電極Ｙ１〜Ｙｎ及びＸ電極Ｘ１〜Ｘｎの駆動に必要な制御信号を生成し，それぞれアドレスバッファボード１００，走査駆動ボード２００，及び走査バッファボード３００に印加する。このような制御ボード４００は，映像の各フレームをそれぞれ複数のサブフィールドに時分割して表示するようにプラズマ表示パネル１０の駆動を制御する制御部を含むことができる。上記制御部は，例えばアドレスバッファボード１００，走査駆動ボード２００，または走査バッファボード３００などに設けられた駆動部にそれぞれ駆動信号を送ることができる。そして，かかる駆動信号により，駆動部は，各サブフィールドにおいて，各セルが発光セルまたは非発光セルのいずれかに設定されるように複数のセルに対して選択的にアドレス放電を行うアドレス期間と，発光セルとして設定されたセルに対して維持放電を行う維持期間とを含む駆動波形を，対応する電極に印加してプラズマ表示パネルを駆動させることができる。このとき，上記駆動波形は，上記アドレス期間に先立って各セルの初期化を行うリセット期間を更に含むことができる。
【００５０】
電源ボード５００はプラズマ表示装置の駆動に必要な電源を供給する。図３においては，制御ボード４００及び電源ボード５００はシャーシベース２０の右側，すなわち走査駆動ボード２００及び走査バッファボード３００が配置されていない側に配設されているが，シャーシベース２０の中央に配置されることもできる。
【００５１】
次に，本発明の第１の実施の形態によるプラズマ表示装置の駆動波形について，図４を参照して説明する。図４は，本発明の第１の実施の形態によるプラズマ表示装置の駆動波形を示す図である。以下では，便宜上，一つのセルを形成するＹ電極，Ｘ電極及びＡ電極に印加される駆動波形についてのみ説明する。
【００５２】
図４の駆動波形において，Ｙ電極（第１電極）に印加される電圧は走査駆動ボード２００と走査バッファボード３００から供給され，Ａ電極（第３電極）に印加される電圧はアドレスバッファボード１００から供給される。また，Ｘ電極（第２電極）は基準電圧（第３電圧）にバイアスされているので，Ｘ電極に印加される電圧については説明を省略する。図４においては，Ｘ電極は接地電圧にバイアスされている。
【００５３】
図４に示すように，サブフィールドはリセット期間，アドレス期間，及び維持期間からなる。ここで，図４に示されたサブフィールドは，階調表示を行うために１フレーム期間を複数のサブフィールドに時分割して駆動する場合の１サブフィールドに相当する。このとき，１フレーム期間を構成する各サブフィールドは，それぞれ所定の輝度加重値によって重み付けされる。各サブフィールドは，リセット期間，アドレス期間，及び維持期間からなる。リセット期間は，放電セル（以下，“セル”という）でアドレッシング動作が円滑に行われるようにするため，各セルの状態を初期化させる期間である。また，アドレス期間は，表示パネル上の複数のセルに対してそれぞれ発光セルと非発光セルを選択する期間である。維持期間は，上記選択された発光セルに実際に映像を表示するための放電を行う期間である。このとき，選択されたセルを通過する電極に維持パルスが印加されるが，印加される維持パルスの数を上記各サブフィールドごとに設定されている上記輝度加重値に応じたパルス数とすることにより，各サブフィールドにおいて所定の輝度の発光が行われるようにすることができる。
【００５４】
リセット期間は立ち上がり期間と立ち下がり期間からなる。立ち上がり期間ではＹ電極に漸進的に上昇する波形を印加することができ，立ち下がり期間ではＹ電極に漸進的に下降する波形を印加することができする。Ｙ電極に上記上昇波形の電圧を印加すと，放電セルには壁電荷が形成される。このとき，各セルに形成される壁電荷は均一ではないので，続いてＹ電極に上記下降波形の電圧を印加することにより，余分に蓄積された電荷を消去して，プラズマ表示パネル１０の全セルの壁電荷を均一にすることができる。
【００５５】
リセット期間の立ち上がり期間においては，Ａ電極を基準電圧（第３電圧）に維持した状態で，Ｙ電極の電圧をＶｓ電圧（第６電圧）からＶｓｅｔ電圧（第７電圧）まで漸進的に増加させる。図４では，Ａ電極の基準電圧は接地電圧とすることができる。図４においては，Ｙ電極の電圧がランプ状に増加するものとして示されている。Ｙ電極の電圧が増加している間，Ｙ電極とＸ電極との間，かつＹ電極とＡ電極との間で微弱な放電（以下，“弱放電”という）が起こり，Ｙ電極には（−）壁電荷が形成され，Ｘ電極及びＡ電極には（＋）壁電荷が形成される。すなわち，電極の電圧が図４に示されたように漸進的に変化する場合は，セルで微弱な放電が起こり，外部から印加された電圧とセルの壁電圧の和が放電開始電圧状態を維持するように，壁電荷が形成される。このような原理については，ウェーバー（Ｗｅｂｅｒ）による米国特許第５，７４５，０８６号明細書に開示されている。リセット期間においては，全てのセルの状態を初期化しなければならないので，Ｖｓｅｔ電圧は全ての条件のセルで放電が起こり得る程度の高い電圧である。また，Ｖｓ電圧は，一般に維持期間でＹ電極に印加される電圧よりも高い電圧であり，かつＹ電極とＸ電極間の放電開始電圧よりも低い電圧である。
【００５６】
ついで，リセット期間の立ち下がり期間においては，Ａ電極を基準電圧に維持した状態でＹ電極の電圧をＶｓ電圧からＶｎｆ１電圧まで漸進的に降下させる。すると，Ｙ電極の電圧が降下している間，Ｙ電極とＸ電極との間，かつＹ電極とＡ電極との間で微弱な放電が起こり，Ｙ電極に形成された（−）壁電荷とＸ電極及びＡ電極に形成された（＋）壁電荷が消去される。一般に，Ｖｎｆ１電圧の大きさは，Ｙ電極とＸ電極との間の放電開始電圧に近い電圧に設定することができる。すると，Ｙ電極とＸ電極との間の壁電圧がほぼ０Ｖとなる。このようにしてセルの状態を初期化することにより，アドレス期間においてアドレス放電が起こらないセル（非発光セル）が，維持期間において誤放電することを防止することができる。このとき，Ａ電極は基準電圧に維持されているので，Ｖｎｆ１電圧のレベルによって，Ｙ電極とＡ電極との間の壁電圧が決定される。
【００５７】
ついで，アドレス期間においては，発光セルを選択するために，Ｙ電極とＡ電極にそれぞれＶｓｃＬ１電圧を有する走査パルスと，Ｖａ電圧を有するアドレスパルスを印加する。すると，走査パルスとアドレスパルスが印加されたセルで放電が起こり，セルに壁電荷が書き込まれる。そして，選択されないＹ電極はＶｓｃＬ１電圧より高いＶｓｃＨ電圧でバイアスさせ，ターンオンされないセル（選択されないセル）のＡ電極には基準電圧を印加する。このような動作を行うために，走査バッファボード３００は，Ｙ電極Ｙ１〜Ｙｎのうち，ＶｓｃＬ１電圧の走査パルスが印加されるＹ電極を選択し，例えばシングル駆動の場合においてはＹ電極の（縦方向の）配列順にＹ電極を選択していくことができる。そして，アドレスバッファボード１００は，一つのＹ電極が選択されるとき，当該Ｙ電極により形成されたセルを通過するＡ電極Ａ１〜Ａｍのうち，Ｖａ電圧のアドレスパルスが印加されるセルを選択する。
【００５８】
具体的に，まず第１行のＹ電極（図２のＹ１）にＶｓｃＬ電圧の走査パルスを印加するとともに，第１行のうち発光セルに位置するＡ電極にＶａ電圧のアドレスパルスを印加する。すると，第１行のＹ電極とＶａ電圧が印加されたＡ電極との間で放電が起こり，ついでＹ電極とＸ電極との間で放電が起こり，Ｙ電極に（＋）壁電荷が形成され，Ａ電極及びＸ電極にそれぞれ（−）壁電荷が形成される。その結果，Ｙ電極とＸ電極との間に，Ｙ電極の電位がＸ電極の電位より高くなるように，壁電圧Ｖｗｘｙ１が形成される。
【００５９】
ついで，第２行のＹ電極（図２のＹ２）にＶｓｃＬ１電圧の走査パルスを印加するとともに，第２行のうち発光セルに位置するＡ電極にＶａ電圧のアドレスパルスを印加する。すると，前述したように，Ｖａ電圧の印加されたＡ電極と第２行のＹ電極により形成されるセルでアドレス放電が起こり，放電が発生したセルに，前述したように，壁電荷が形成される。同様に，残り行のＹ電極に対しても順次ＶｓｃＬ１電圧の走査パルスを印加するとともに発光セルに位置するＡ電極にＶａ電圧のアドレスパルスを印加することにより，壁電荷を形成する。
【００６０】
このようなアドレス期間において，ＶｓｃＬ１電圧は，一般にＶｎｆ１電圧と同一であるかまたはそれより低いレベルに設定される。また，Ｖａ電圧は基準電圧より高いレベルに設定される。ここで，例えばＶｓｃＬ１電圧とＶｎｆ１が同一であってＡ電極にＶａ電圧が印加される場合に，セルでアドレス放電が起こる理由について説明する。リセット期間において，Ｖｎｆ１電圧が印加されたとき，Ａ電極とＹ電極との間の壁電圧と，Ａ電極とＹ電極との間の外部電圧Ｖｎｆ１との和は，Ａ電極とＹ電極との間の放電開始電圧Ｖｆａｙと決定される。ここで，アドレス期間において，Ａ電極に０Ｖが印加され，Ｙ電極にＶｓｃＬ１（＝Ｖｎｆ１）電圧が印加される場合，Ａ電極とＹ電極との間にはＶｆａｙ電圧が形成されて放電が起こり得るが，この場合の放電遅延時間が，一般に，走査パルスとアドレスパルスの幅よりも長いため，放電は起こらない。また，Ａ電極にＶａ電圧が印加され，Ｙ電極にＶｓｃＬ１（＝Ｖｎｆ１）電圧が印加される場合，Ａ電極とＹ電極との間には，Ｖｆａｙ電圧より高い電圧が形成されて放電が起こり得る状態になり，この場合の放電遅延時間は走査パルスとアドレスパルスの幅よりも減少する（短い）ため，放電が起こり得る。この際，アドレス放電をより発生し易くするために，ＶｓｃＬ１電圧をＶｎｆ１電圧より低い電圧に設定することもできる。
【００６１】
ついで，維持期間においては，Ｙ電極にＶｓ電圧を有するパルスを先に印加して，Ｙ電極とＸ電極との間に維持放電を発生させる。このとき，上記アドレス期間においてアドレス放電が起こったセル（発光セル）には，Ｘ電極に対するＹ電極の壁電圧Ｖｗｘｙ１が高電圧で形成されており，かかる状態のセルのＹ電極にＶｓ電圧を有するパルスが先に印加されることになる。この際，Ｖｓ電圧は，Ｙ電極とＸ電極との間の放電開始電圧Ｖｆｘｙよりは低いが，Ｙ電極のＸ電極に対する壁電圧Ｖｗｘｙ１とＶｓ電圧との合計（Ｖｗｘｙ１＋Ｖｓ）が放電開始電圧Ｖｆｘｙ電圧より高くなるように設定される。このような維持放電の結果，Ｙ電極には（−）壁電荷が形成され，Ｘ電極とＡ電極には（＋）壁電荷が形成される。そして，Ｙ電極に対するＸ電極の壁電圧Ｖｗｙｘ１が高電圧で形成される。
【００６２】
ついで，上記のようなＹ電極に対するＸ電極の壁電圧Ｖｗｙｘ１が高電圧で形成された状態において，Ｙ電極に−Ｖｓ電圧を有するパルスを印加してＹ電極とＸ電極との間に維持放電を発生させる。その結果，Ｙ電極には（＋）壁電荷が形成され，Ｘ電極とＡ電極には（−）壁電荷が形成されて，セルは，Ｙ電極にＶｓ電圧が印加されれば維持放電が起こり得る状態となる。その後，Ｙ電極にＶｓ電圧の維持放電パルスが印加される過程とＹ電極に−Ｖｓ電圧の維持放電パルスが印加される過程が，当該サブフィールドが表示する輝度加重値に対応する回数だけ繰り返される。
【００６３】
このように，本発明の第１の実施の形態においては，Ｘ電極（第２電極）を基準電圧にバイアスさせた状態で，Ｙ電極に印加される駆動波形のみでリセット動作，アドレス動作，及び維持放電動作を行うことができる。したがって，Ｘ電極を駆動する駆動ボードを設けないようにすることが（除去することが）可能となり，その場合には，単にＸ電極を基準電圧にバイアスさせるだけてよい。
【００６４】
そして，本発明の第１の実施の形態によると，維持放電のためのパルスが走査駆動ボード２００のみから供給されるので，Ｙ電極にＶｓ電圧のパルスが印加される場合のインピーダンスと，Ｙ電極に−Ｖｓ電圧のパルスが印加される場合のインピーダンスが同一となる。
【００６５】
または，リセット期間とアドレス期間において，Ｘ電極に基準電圧以外の一定の電圧を印加するようにすることもできる。このような駆動方法にすると，Ｘ電極を駆動するボードとしては一定の電圧を印加する素子のみを有していればよいので，Ｘ電極駆動ボードを最小化することができる。
【００６６】
また，本発明の第１の実施の形態においては，リセット期間の立ち上がり期間でＹ電極の電圧が上昇し始める電圧，及びリセット期間の立ち下がり期間でＹ電極の電圧が降下し始める電圧をそれぞれＶｓ電圧であると説明したが，ほかの電圧値を使用することもできる。例えば，セルで最初に放電が起こり始める電圧がＶｓ電圧よりも高い場合，立ち上がり期間において，Ｖｓ電圧の代わりに，セルで最初に放電が起こり始める電圧を立ち上がり期間の開始電圧として設定すると，立ち上がり期間を短縮することができる。同様に，立ち下がり期間において，Ｖｓ電圧の代わりに，セルで最初に放電が起こり始める電圧を立ち下がり期間の開始電圧として設定すると，立ち下がり期間を短縮することができる。逆に，立ち上がり期間及び／または立ち下がり期間において，Ｖｓ電圧より低い電圧でセルに放電が起こるのであれば，立ち上がりまたは立ち下りの開始電圧をＶｓ電圧より低い電圧に設定することもできる。
【００６７】
図４に示すように，本発明の第１の実施の形態においては，リセット期間の立ち下がり期間で，Ｙ電極に印加される最終電圧がＶｎｆ１電圧として設定され，先に説明したように，この最終電圧Ｖｎｆ１はＹ電極とＸ電極との間の放電開始電圧付近の電圧である。仮に，Ｙ電極とＡ電極との間の放電開始電圧ＶｆａｙがＹ電極とＸ電極との間の放電開始電圧Ｖｆｘｙよりも低ければ，図５に示すように，Ｙ電極に（＋）壁電荷が形成され，Ａ電極に（−）壁電荷が形成される場合が生じる。ここで，図５は，Ｙ電極とＡ電極との間の放電開始電圧ＶｆａｙがＹ電極とＸ電極との間の放電開始電圧Ｖｆｘｙよりも低い場合に，図４の駆動波形を印加した際の，リセット期間終了後のセルの壁電荷の状態の一例を示す図である。具体的には，リセット期間の立ち上がり期間後には，Ｙ電極には（−）壁電荷が，Ｘ電極及びＡ電極には（＋）壁電荷が形成されているが，ここで立ち下がり期間の降下電圧がＹ電極に印加されてＹ電極とＡ電極との間で放電が生じると，Ｙ電極には（＋）壁電荷が形成され，Ａ電極には（−）壁電荷が形成されることになる。すなわち，リセット期間の終了後，Ａ電極に対するＹ電極の壁電圧が正の電圧で設定されることがあり得る。
【００６８】
そして，セルの壁電荷の状態が図５に示すような状態で，維持期間においてＹ電極にＶｓ電圧が印加されると，Ｙ電極とＡ電極に印加された電圧の差（Ｖｓ）とＹ電極とＡ電極との間の壁電圧（正の電圧）により，Ｙ電極とＡ電極との間に放電が発生する場合があり得る。すなわち，アドレス期間において，アドレス放電が起こらなかったセル（非発光セル）が維持期間に放電される誤放電現象が起こり得る。そこで，上記のような誤放電を防止することのできるプラズマ表示装置の駆動方法について，以下に説明する。
【００６９】
本発明の第２の実施の形態によるプラズマ表示装置の駆動方法では，Ｙ電極とＡ電極との間で生じ得る誤放電を防止することができる。以下に，第２の実施の形態について，図６及び図７ａ〜図７ｄに基づいて詳細に説明する。
【００７０】
図６は，本発明の第２の実施の形態によるプラズマ表示装置の駆動波形を示す図である。図７ａ〜図７ｄは，図６の駆動波形を印加した際の壁電荷状態を示す図である。図７ａは，リセット期間の立ち下がり期間終了時の壁電荷の状態を示し，図７ｂはアドレス放電後の壁電荷の状態を示し，図７ｃは最初の維持放電パルスにより維持放電が起こった後の壁電荷の状態を示し，図７ｄは次の維持放電パルスにより維持放電が起こった後の壁電荷の状態を示す。
【００７１】
図６に示すように，本発明の第２の実施の形態によるプラズマ表示装置の駆動波形は，リセット期間の立ち下がり期間とアドレス期間に印加される電圧以外は，第１の実施の形態と同一の波形の電圧が印加される。すなわち，第１の実施の形態では，リセット期間の立ち上がり期間後にＹ電極に形成された（−）壁電荷とＸ電極に形成された（＋）壁電荷を，立ち下がり期間にて消去してＹ電極とＸ電極との間の壁電圧がほぼ０Ｖとなるようにし，その後アドレス期間にて，発光させるセルのＹ電極とＡ電極にそれぞれパルスを印加してＹ電極に（＋）壁電荷，Ｘ電極に（−）壁電荷を形成してＹ電極とＸ電極との間に壁電圧Ｖｗｘｙ１を形成していた。これに対し，第２の実施の形態では，立ち上がり期間後にＹ電極に形成された（−）壁電荷とＸ電極に形成された（＋）壁電荷を，立ち下がり期間にて完全に消去せずにＹ電極とＸ電極との間の壁電圧が０Ｖ以上存在する状態でリセット期間を終了し，その後アドレス期間にて，発光させないセルのＹ電極とＡ電極にそれぞれパルスを印加することにより，リセット期間終了時点でＹ電極及びＸ電極に存在していた壁電荷を消去するようにする。このとき，発光させるセルにはリセット期間終了時点でＹ電極及びＸ電極に存在していた壁電荷が残っているので，その後の維持期間において維持放電パルスが印加されると維持放電を発生することができる。以下に具体的な説明を行う。ここで，Ｘ電極（第２電極）は，第１の実施の形態と同様に，基準電圧（第３電圧）にバイアスされているので，Ｘ電極に印加される電圧については説明を省略する。図６においては，Ｘ電極は接地電圧にバイアスされている。
【００７２】
先ず，リセット期間の立ち上がり期間においては，第１の実施の形態と同様に，Ａ電極（第３電極）を基準電圧（第３電圧）に維持した状態で，Ｙ電極（第１電極）の電圧をＶｓ電圧（第６電圧）からＶｓｅｔ電圧（第７電圧）まで漸進的に増加させる。図４では，Ａ電極の基準電圧は接地電圧とすることができる。
【００７３】
次に，リセット期間の立ち下がり期間において，Ｙ電極の電圧がＶｓ電圧（第１電圧）からＶｎｆ２電圧（第２電圧）まで漸進的に降下する。ここで，Ｘ電極（第１電極）とＹ電極の電圧差に相当するＶｎｆ２電圧の大きさ（｜Ｖｎｆ２｜）は，図７ａに示すように，Ｙ電極に所定量の（−）壁電荷が残っており，Ｘ電極とＡ電極に所定量の（＋）壁電荷が残っている程度の電圧である。すると，Ｙ電極に対するＸ電極の壁電圧Ｖｗｙｘ２は，Ｙ電極とＸ電極との間の放電開始電圧ＶｆｘｙとＶｎｆ２電圧との合計，すなわち下記の数学式１のようになる。
Ｖｗｙｘ２  ＝  Ｖｆｘｙ  ＋  Ｖｎｆ２    （数学式１）
【００７４】
そしてこのとき，リセット期間終了時点におけるＹ電極に対するＸ電極の壁電圧Ｖｗｙｘ２と維持期間でＹ電極に印加される−Ｖｓ電圧によって，Ｙ電極とＸ電極との間で維持放電が起こり得るように，Ｖｎｆ２電圧を設定するのがよい。このようにＶｎｆ２電圧を設定すれば，リセット期間が終了した時点では，全てのセルを発光セルとして設定（選択）された状態にすることができる。このような状態にするためには，数学式２に示すように，Ｖｓ電圧と壁電圧Ｖｗｙｘ２との和がＸ電極とＹ電極との間の放電開始電圧Ｖｆｘｙよりも遥かに大きくなるように，Ｖｎｆ２電圧を設定するのがよい。
Ｖｆｘｙ  ≪  Ｖｗｙｘ２  ＋  Ｖｓ  ＝  Ｖｆｘｙ  ＋  Ｖｎｆ２  ＋  Ｖｓ
（数学式２）
【００７５】
その結果，数学式３に示すように，Ｖｎｆ２電圧は−Ｖｓ電圧より大きくなるように設定することができる。
Ｖｎｆ２  ≫  −Ｖｓ                  （数学式３）
【００７６】
上記のように全てのセルが発光セルとして選択された状態から，次に，アドレス期間において非発光セルを選択するために，Ｙ電極とＡ電極にそれぞれＶｓｃＬ２電圧を有する走査パルス及びＶａ電圧を有するアドレスパルスを印加する。すると，走査パルスとアドレスパルスが印加されたセルでアドレス放電が起こり，当該セルに形成された壁電荷が消去されるので，当該セルの壁電荷状態は図７ｂに示すような状態となる。すなわち，Ｙ電極とＡ電極の放電に続いてＹ電極及びＸ電極の放電が起こり，この放電により，Ｙ電極，Ａ電極及びＸ電極に形成された壁電荷が消去されて非発光セルが設定される。一方，非発光セルとして選択されなかったセル（すなわち発光セル）については，Ｙ電極にＶｓｃＬ１電圧より高いＶｓｃＨ電圧でバイアスするとともにＡ電極に基準電圧を印加するようにすれば，アドレス期間でアドレス放電が行われずに，図７ａのような壁電荷状態が維持される。すなわち，アドレス放電が起こらなかった発光セル（すなわち，リセット期間で形成された壁電荷状態を維持するセル）には，Ｙ電極に対するＸ電極の壁電圧Ｖｗｙｘ２が高電圧で形成されていることになる。
【００７７】
次に，上記アドレス放電が発生せずにリセット期間で形成されたＹ電極に対するＸ電極の壁電圧Ｖｗｙｘ２が維持されている発光セルに対し，維持期間において，Ｙ電極に先ず−Ｖｓ電圧（第４電圧）を有するパルスから印加する。この際，上記数学式２の関係を満足するように壁電圧Ｖｗｙｘ２が設定（形成）されているので，Ｘ電極とＹ電極との間で維持放電が起こり，その結果，図７ｃに示すように，Ｘ電極に（−）壁電荷が形成され，Ｙ電極に（＋）壁電荷が形成される。そして，基準電圧（０Ｖ）が印加されたＡ電極には所定量の（−）壁電荷が形成される。
【００７８】
ここで，一番目の維持放電パルスによって発生した維持放電により，Ｘ電極に対するＹ電極の壁電圧Ｖｗｘｙ２が正の電圧で設定されたので，続いてＹ電極にＶｓ電圧（第５電圧）を有するパルスを印加すれば，次の維持放電を発生させることができる。その結果，図７ｄに示すように，Ｙ電極に（−）壁電荷が形成され，Ｘ電極に（＋）壁電荷が形成されて，Ｙ電極に−Ｖｓ電圧を有するパルスが印加されれば維持放電が起こり得る状態になる。その後，Ｙ電極に−Ｖｓ電圧の維持放電パルスを印加する過程と，Ｙ電極にＶｓ電圧の維持放電パルスを印加する過程とが，当該サブフィールドが表示する輝度加重値に対応する回数だけ繰り返される。
【００７９】
このように，本発明の第２の実施の形態においては，アドレス期間で発生させるアドレス放電は，非発光セルを選択するためのアドレス放電である。すなわち，アドレス放電により壁電荷を消去するアドレス動作を行うので，リセット期間の最終電圧Ｖｎｆ２を第１の実施の形態よりも高く設定することができる。これにより，非発光セルが維持期間において誤放電される問題を解決することができる。
【００８０】
ここで，上記のような本発明の第２の実施の形態で説明した駆動波形を，１フィールド期間を形成する全てのサブフィールドに印加すると，１フィールド期間全てに渡ってターンオンされないセル，すなわち０階調（ブラック階調）のセルで良好な黒色が具現されなくなる（若干明るくなる）といった現象が生じる場合がある。すなわち，１フィールド期間中ずっと非発光状態となるセルにおいては，全てのサブフィールドのリセット期間で微弱な放電が起こり，かつ全てのアドレス期間でも壁電荷消去のためのアドレス放電が起こるので，僅かに発光している（ぼうっとしている）状態に表示されることがあり得る。そこで，上記のような非発光セルで発生する放電を最小化することのできるプラズマ表示装置の駆動方法について，以下に説明する。
【００８１】
本発明の第３の実施の形態によるプラズマ表示装置の駆動方法では，非発光セルで発生する放電を最小化することができる。以下に，第３の実施の形態について，図８及び図９に基づいて詳細に説明する。
【００８２】
図８は，本発明の第３の実施の形態によるプラズマ表示装置の駆動波形を示す図である。図９は，本発明の第３の実施の形態によるプラズマ表示装置の駆動方法を概略的に示す図である。図８においては，説明の便宜上，複数のサブフィールドのうち三つのサブフィールドＳＦ１〜ＳＦ３のみを示したが，図９においては，１フィールドを形成する全てのサブフィールドＳＦ１〜ＳＦｋを示した。
【００８３】
図８に示すように，本発明の第３の実施の形態によるプラズマ表示装置の駆動波形は，時間的に先頭に位置するサブフィールドＳＦ１は，第２の実施の形態（図６）と同様に，リセット期間Ｒ１，アドレス期間Ａ１，及び維持期間Ｓ１からなる。そして，時間的に第１サブフィールドＳＦ１の次に位置する二つのサブフィールドＳＦ２，ＳＦ３は，それぞれアドレス期間Ａ２，Ａ３及び維持期間Ｓ２，Ｓ３からなる。ここで，それぞれのリセット期間Ｒ１，アドレス期間Ａ１〜Ａ３，及び維持期間Ｓ１〜Ｓ３において各電極に印加される波形は，それぞれ第２の実施の形態で説明したような形態を有する。また，それぞれの維持期間Ｓ１〜Ｓ３は，Ｙ電極にＶｓ電圧のパルスが印加されて最後の維持放電が起こった状態で終了される。
【００８４】
１フィールド期間の駆動波形を上記のように構成すると，第１サブフィールドＳＦ１において非発光であったセルの第１サブフィールドＳＦ１後の壁電荷の状態は，第２の実施の形態のアドレス期間終了後の壁電荷が消去された図７ｂのようになる。そして，次のサブフィールドＳＦ２，ＳＦ３においても，継続して非発光セルとして維持される。また，第１サブフィールドＳＦ１において既に壁電荷が消去されているので，次のサブフィールドＳＦ２，ＳＦ３において非発光セルを選択するためのアドレス期間Ａ２，Ａ３においては，アドレス放電が起こらない。
【００８５】
そして，第１サブフィールドＳＦ１において，発光セルであったセルの第１サブフィールドＳＦ１後の壁電荷の状態は，第２の実施の形態の維持期間においてＹ電極にＶｓ電圧を有するパルスを印加した後の図７ｄのようになる。図７ｄの壁電荷の状態は，リセット期間終了後の壁電荷の状態である図７ａの状態と類似しているので，次のサブフィールドＳＦ２のアドレス期間Ａ２においてアドレス放電が起こり得る壁電荷の状態であるといえる。すなわち，このセルが第２サブフィールドＳＦ２でアドレス放電されると，第２サブフィールドＳＦ２から非発光セルとして設定されて，第２サブフィールドＳＦ２よりも時間的に後となるサブフィールドでは非発光セルを選択するためのアドレス放電が起こらない。また，このセルに第２サブフィールドＳＦ２においてアドレス放電が起こらなければ，このセルは第２サブフィールドＳＦ２においても発光セルとして設定される。そして，このセルは，次のサブフィールドＳＦ３におけるアドレス放電の有無によって非発光セルまたは発光セルとして設定することができる。
【００８６】
このように，リセット期間を含むサブフィールドに後続する，アドレス期間と維持期間からなるサブフィールドでは，直前のサブフィールドで発光セルとして選択されて維持放電が行なわれたセルに対して選択的になされるアドレス放電によって，当該セルを非発光セルとして設定することができる。したがって，図９に示すように，１フィールド期間において，最初のサブフィールドを，リセット期間を含むサブフィールドＳＦ１として形成し，残りのサブフィールドを，リセット期間を含まないサブフィールドとして形成すると，０階調（ブラック階調）を表示するとき，最初のサブフィールドＳＦ１のリセット期間とアドレス期間でのみ放電が発生する。すなわち，ブラック階調を表示するとき，最初のサブフィールドＳＦ１以外のサブフィールドでは放電が発生しないので，良好な黒色表示を行うことができ，明暗比（コントラスト）を高めることができる。
【００８７】
そして，図９においては，例えば全てのサブフィールドの輝度加重値を１と設定すると，第１サブフィールドＳＦ１でアドレス放電が発生するセルは非発光セルとなるので，０階調が表示される。そして，ｉ番目サブフィールドＳＦｉでアドレス放電が発生するセルは，第１サブフィールドから第ｉ−１サブフィールドまで発光セルとして設定されて，ｉ−１階調を表示することができる（ここで，ｉは２以上の整数）。すなわち，１フィールドがｋ個のサブフィールドからなる場合，総ｋ個の階調を表現することが可能となる。このとき，１フィールドの期間には制限あるため，１フィールドを形成するサブフィールドの数（ｋ）にも限界がある。従って，図９に示すような駆動波形を用いてプラズマ表示装置を駆動させた場合，表現可能な階調数が制限される。このような場合，サブフィールドの組み合わせによって具現される階調にディザリング処理や誤差拡散処理などのハーフトーニング（ｈａｌｆ  ｔｏｎｉｎｇ）処理を適用すれば，階調表現力を高めることができる。
【００８８】
第３の実施の形態の変更例として，図９のようにリセット期間を含むサブフィールドを１フィールドに一つだけ設けるのではなく，リセット期間を含むサブフィールドを複数設けることもできる。例えば，最初のサブフィールドのリセット期間で全てのセルを発光セルとして設定してアドレス動作を行った後，最初のサブフィールドから所定の数のサブフィールドを経た後，再び全てのセルを発光セルとして設定するリセット期間を設けることもできる。
【００８９】
また，本発明の第２の実施の形態及び第３の実施の形態にかかるプラズマ表示装置の駆動方法によれば，維持期間においてＹ電極の電圧が−Ｖｓ電圧からＶｓ電圧に，かつＶｓ電圧から−Ｖｓ電圧に大きく変化する。このように，電圧が大きく変わる場合には，瞬間的な電圧変化により，大きな電磁気干渉（ＥＭＩ：Ｅｌｅｃｔｒｏ  Ｍａｇｎｅｔｉｃ  Ｉｎｔｅｒｆｅｒｅｎｃｅ）が発生する場合がある。また，Ｙ電極とＸ電極により形成される容量性成分により発生する無効電力は電圧変化量（２Ｖｓ）の２乗（４Ｖｓ２）に比例するので，多くの無効電力が消耗されるといった現象も生じる。上記のようなＹ電極の瞬間的な電圧変化による電磁気干渉や無効電力の発生を防止することのできるプラズマ表示装置の駆動方法について，以下に説明する。
【００９０】
本発明の第４の実施の形態によるプラズマ表示装置の駆動方法によれば，Ｙ電極の電圧が−Ｖｓ電圧からＶｓ電圧まで直ちに変わらない。以下に，第４の実施の形態について，図１０を参照して説明する。図１０は，本発明の第４の実施の形態によるプラズマ表示装置の駆動波形を示す図である。
【００９１】
図１０に示すように，本発明の第４の実施の形態によるプラズマ表示装置の駆動波形は，維持期間に印加される維持放電パルスの波形以外は，第２の実施の形態と同一の波形のパルスとなる。
【００９２】
具体的に，維持期間において，Ｙ電極に−Ｖｓ電圧のパルスが印加された状態で，Ｖｓ電圧のパルスが印加されるとき，Ｙ電極の電圧は−Ｖｓ電圧から０Ｖ（第８電圧）まで増加した後，０ＶからＶｓ電圧まで増加する。そして，Ｙ電極にＶｓ電圧のパルスが印加された状態で−Ｖｓ電圧のパルスが印加されるとき，Ｙ電極の電圧はＶｓ電圧から０Ｖまで降下した後，０Ｖから−Ｖｓ電圧まで下降する。
【００９３】
このように電圧の上昇及び降下がそれぞれ２段階に分けて行われるようにすると，Ｙ電極の電圧は一回の上昇または下降ではＶｓ電圧の分だけ変化するので，ＥＭＩを減らすことができる。また，Ｙ電極ではＶｓ電圧だけ変化する段階が２回発生するので，無効電力は電圧変化量（Ｖｓ）の２乗の２倍（２Ｖｓ２）に比例する。すなわち，第４の実施の形態では，Ｙ電極の電圧が−Ｖｓ電圧からＶｓ電圧に変わる場合に比べ，無効電力を半分に減らすことができる。
【００９４】
このとき，Ｙ電極の電圧を上昇させる場合と降下させる場合のいずれか一方の場合にのみＹ電極の電圧を２段に分けて変化させるようにすることもできる。また，Ｙ電極の電圧を，０Ｖではない−Ｖｓ電圧からＶｓ電圧の間の範囲の他の電圧（第８電圧）を経て２段階に分けて変化させることもできる。あるいは，Ｙ電極の電圧を３段以上に分けて変化させることもできる。
【００９５】
そして，本発明の第１の実施の形態〜第４の実施の形態においては，Ｙ電極の電圧をランプ状に漸進的に変化（上昇または降下）させるものと示したが，これとは異なり，Ｙ電極の電圧をランプ状とは別の形態によって漸進的に変更させることもできる。
【００９６】
上記のように，本発明の実施の形態にかかるプラズマ表示装置及びその駆動方法によれば，走査電極と維持電極を駆動することのできる統合ボードを備えたことにより，維持放電パルスの歪みを防止しすることができる。
【００９７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００９８】
本発明は，プラズマ表示装置及びその駆動方法に適用可能である。
【図面の簡単な説明】
【００９９】
【図１】本発明の第１の実施の形態によるプラズマ表示装置の概略構成を示す分解斜視図である。
【図２】第１の実施の形態によるプラズマ表示パネルの電極構成及び放電セルの概念を示す図である。
【図３】第１の実施の形態によるシャーシベースの概略構成を示す平面図である。
【図４】第１の実施の形態によるプラズマ表示装置の駆動波形を示す図である。
【図５】Ｙ電極とＡ電極との間の放電開始電圧がＹ電極とＸ電極との間の放電開始電圧よりも低い場合に，図４の駆動波形を印加した際の，リセット期間終了後のセルの壁電荷の状態のを示す図である。
【図６】本発明の第２の実施の形態によるプラズマ表示装置の駆動波形を示す図である。
【図７ａ】図６の駆動波形を印加した際の，リセット期間の立ち下がり期間終了時の壁電荷の状態を示す図である。
【図７ｂ】図６の駆動波形を印加した際の，アドレス放電の壁電荷の状態を示す図である。
【図７ｃ】図６の駆動波形を印加した際の，最初の維持放電パルスによる維持放電後の壁電荷の状態を示す図である。
【図７ｄ】図６の駆動波形を印加した際の，次の維持放電パルスによる維持放電後の壁電荷の状態を示す図である。
【図８】本発明の第３の実施の形態によるプラズマ表示装置の駆動波形を示す図である。
【図９】本発明の第３の実施形態によるプラズマ表示装置の駆動方法を概略的に示す図である。
【図１０】本発明の第４の実施の形態によるプラズマ表示装置の駆動波形を示す図である。
【符号の説明】
【０１００】
１０        プラズマ表示パネル
２０        シャーシベース
３０        前面ケース
４０        後面ケース
１００      アドレスバッファボード
２００      走査駆動ボード
３００      走査バッファボード
４００      制御ボード
５００      電源ボード
Ａ１〜Ａｍ  アドレス電極（第３電極）
Ｘ１〜Ｘｎ  Ｘ電極（第２電極または維持電極）
Ｙ１〜Ｙｎ  Ｙ電極（第１電極または走査電極）
【図１】
2006209078.tif 000003
【図２】
2006209078.tif 000004
【図３】
2006209078.tif 000005
【図４】
2006209078.tif 000006
【図５】
2006209078.tif 000007
【図６】
2006209078.tif 000008
【図７ａ】
2006209078.tif 000009
【図７ｂ】
2006209078.tif 000010
【図７ｃ】
2006209078.tif 000011
【図７ｄ】
2006209078.tif 000012
【図８】
2006209078.tif 000013
【図９】
2006209078.tif 000014
【図１０】
2006209078.tif 000015